(57)【要約】【課題】原稿の上側に読取装置を設けて読み取った原稿を上側から順次排出していく静止読みタイプのシート原稿読取装置において、原稿読取欠落量を無くすと共に、ブック原稿読取を容易にする。【解決手段】排出手段１２は、フラットベットスキャナ１によるシート上の画像の読み取り中はシートと接触しない第１の位置に待機し、フラットベットスキャナ１によるシート上の画像の読み取り終了後は離間モータ１６を駆動源としてフラットベットスキャナ１が回動されることで形成された隙間からシートと接触する第２の位置に移動する。【選択図】      図１
2005027034.tif 000002
【特許請求の範囲】
【請求項１】
シートを載置するシート載置手段と、
前記シート載置手段の上方に位置し、前記シート載置手段に載置されたシートの画像を読み取る読み取り手段と、
前記シート載置手段に載置されたシートを前記読み取り手段に押圧する押圧手段と、
前記押圧手段により押圧されたシートと前記読み取り手段との間に隙間を形成するよう、前記読み取り手段を装置本体に対して回動させシートを前記読み取り手段から離間させる離間手段と、
前記読み取り手段により読み取りがなされ、前記離間手段により前記読み取り手段から離間されたシートを排出する排出手段とを有し、
前記排出手段は、前記読み取り手段によるシート上の画像の読み取り中はシートと接触しない第１の位置に待機し、前記読み取り手段によるシート上の画像の読み取り終了後は前記離間手段により形成された前記隙間からシートと接触する第２の位置に移動することを特徴とする画像読取装置。
【請求項２】
前記離間手段は、前記読み取り手段における前記排出手段側を開いて前記隙間を形成するために、前記排出手段と逆位置に回動中心を有することを特徴とする請求項１記載の画像読取装置。
【請求項３】
シートを載置するシート載置手段と、
前記シート載置手段の上方に位置し、前記シート載置手段に載置されたシートの画像を読み取る読み取り手段と、
前記シート載置手段に載置されたシートを前記読み取り手段に押圧する押圧手段と、
前記押圧手段により押圧されたシートと前記読み取り手段との間に隙間を形成するよう、前記シート載置手段を下方へ押し下げることでシートを前記読み取り手段から離間させる離間手段と、
前記読み取り手段により読み取りがなされ、前記離間手段により前記読み取り手段から離間されたシートを排出する排出手段とを有し、
前記排出手段は、前記読み取り手段によるシート上の画像の読み取り中はシートと接触しない第１の位置に待機し、前記読み取り手段によるシートの読み取り終了後は前記離間手段により形成された前記隙間からシートと接触する第２の位置に移動することを特徴とする画像読取装置。
【請求項４】
前記シート載置手段に設けられた引っ掛け部材と、
前記引っ掛け部材に引っかかるよう取り付けられた押し下げ部材とを有し、
前記離間手段は、前記押し下げ部材を押し下げることによって、前記シート載置手段上に載置されているシートを前記読み取り手段から離間させることを特徴とする請求項２記載の画像読取装置。
【請求項５】
シートを載置するシート載置手段と、
前記シート載置手段の上方に位置し、前記シート載置手段に載置されたシートの画像を読み取る読み取り手段と、
前記シート載置手段に載置されたシートを前記読み取り手段に押圧する押圧手段と、
前記押圧手段により押圧されたシートと前記読み取り手段との間に隙間を形成するよう、前記シート載置手段を下方へ押し下げ前記読み取り手段から離間させる離間手段と、
前記読み取り手段により読み取りがなされ、前記離間手段により前記読み取り手段から離間されたシートを排出する排出手段とを有し、
前記シート載置手段は、前記読み取り手段によるシート上の画像の読み取り中はシートと前記排出手段を接触させない第１の位置に位置し、前記読み取り手段によるシートの読み取り終了後はシートと前記排出手段が接触する第２の位置に移動することを特徴とする画像読取装置。
【請求項６】
前記シート載置手段の下部に設けられ、前記シート載置手段を移動させるための回転部材を有することを特徴とする請求項３記載の画像読取装置。
【請求項７】
前記排出手段は、複数ページからなるシート束から１枚のシートを分離する分離手段を有することを特徴とする請求項１乃至６のいずれかに記載の画像読取装置。
【請求項８】
前記読み取り手段は、前記シート載置手段に載置されたシートと接触するプラテンガラスと、前記プラテンガラスを通してシート上の画像を読み取る密着型イメージセンサとを有することを特徴とする請求項１乃至６のいずれかに記載の画像読取装置。
【発明の詳細な説明】
【０００１】
【発明の属する技術分野】
本発明はファクシミリ装置、複写機等に利用される画像読取装置及びこれを用いた画像形成装置に関するものである。
【０００２】
【従来の技術】
従来、原稿の上側に読取装置を設けて読み取った原稿を上側から順次排出していく静止読みタイプのシート原稿読取装置において、図４に示すように、ホッパ部を上下移動させることにより、ホッパ部２に積載された最上の原稿を読取位置まで移動させ、読取終了後、ベルトにより排出させる構成となっていた（例えば、特許文献１参照。）。
【０００３】
また、図５に示すように、ブック原稿の上部に読取装置を設けて、ブック原稿のページをめくりながら読み取る構成の装置があった（例えば、特許文献２参照。）。
【０００４】
【特許文献１】
特開平９−６８９５号公報
【特許文献２】
特開平７−７９３２８号公報
【０００５】
【発明が解決しようとする課題】
しかしながら、上記図４のような構成であった場合、原稿読取位置において、原稿上部にベルトが位置しているため、原稿読取欠落量が大きくなるという問題点があった。さらには、光学系部が固定されているため、ブック原稿読取が困難であるという問題点があった。また、上記図５のような構成であった場合、ブック原稿は読み取ることが可能であるが、多数枚積載されたシート原稿は、そのシート原稿を最上部から順次排出するための排出機構がないため、全て読み取ることができないという問題点があった。
【０００６】
そこで、本発明の目的は、原稿読取性能を向上させ、かつシート原稿の多数枚積載可能な画像読取装置及びこれを用いた画像形成装置を提供するものである。
【０００７】
【課題を解決するための手段】
上記課題を解決するため、本発明ではシート処理装置を次の（１）〜（３）のとおりに構成する。
【０００８】
（１）シートを載置するシート載置手段と、前記シート載置手段の上方に位置し、前記シート載置手段に載置されたシートの画像を読み取る読み取り手段と、前記シート載置手段に載置されたシートを前記読み取り手段に押圧する押圧手段と、前記押圧手段により押圧されたシートと前記読み取り手段との間に隙間を形成するよう、前記読み取り手段を装置本体に対して回動させシートを前記読み取り手段から離間させる離間手段と、前記読み取り手段により読み取りがなされ、前記離間手段により前記読み取り手段から離間されたシートを排出する排出手段とを有し、前記排出手段は、前記読み取り手段によるシート上の画像の読み取り中はシートと接触しない第１の位置に待機し、前記読み取り手段によるシート上の画像の読み取り終了後は前記離間手段により形成された前記隙間からシートと接触する第２の位置に移動することを特徴とする画像読取装置。
【０００９】
（２）シートを載置するシート載置手段と、前記シート載置手段の上方に位置し、前記シート載置手段に載置されたシートの画像を読み取る読み取り手段と、前記シート載置手段に載置されたシートを前記読み取り手段に押圧する押圧手段と、前記押圧手段により押圧されたシートと前記読み取り手段との間に隙間を形成するよう、前記シート載置手段を下方へ押し下げることでシートを前記読み取り手段から離間させる離間手段と、前記読み取り手段により読み取りがなされ、前記離間手段により前記読み取り手段から離間されたシートを排出する排出手段とを有し、前記排出手段は、前記読み取り手段によるシート上の画像の読み取り中はシートと接触しない第１の位置に待機し、前記読み取り手段によるシートの読み取り終了後は前記離間手段により形成された前記隙間からシートと接触する第２の位置に移動することを特徴とする画像読取装置。
【００１０】
（３）シートを載置するシート載置手段と、前記シート載置手段の上方に位置し、前記シート載置手段に載置されたシートの画像を読み取る読み取り手段と、前記シート載置手段に載置されたシートを前記読み取り手段に押圧する押圧手段と、前記押圧手段により押圧されたシートと前記読み取り手段との間に隙間を形成するよう、前記シート載置手段を下方へ押し下げ前記読み取り手段から離間させる離間手段と、前記読み取り手段により読み取りがなされ、前記離間手段により前記読み取り手段から離間されたシートを排出する排出手段とを有し、前記シート載置手段は、前記読み取り手段によるシート上の画像の読み取り中はシートと前記排出手段を接触させない第１の位置に位置し、前記読み取り手段によるシートの読み取り終了後はシートと前記排出手段が接触する第２の位置に移動することを特徴とする画像読取装置。
【００１１】
【発明の実施の形態】
（第１の実施例）
第一実施例に係る画像読取装置について図面を参照して詳しく説明する。
【００１２】
図１（ａ）において、１は画像読取装置を構成するフラットベットスキャナであり、３は原稿を載置する原稿載置台である。フラットベットスキャナ１は原稿載置台３の上部に位置している。原稿載置台３にはバネ部材４ａ、４ｂが取り付けられており、そのバネ部材４ａ、４ｂにより原稿載置台３に積載された原稿が原稿台ガラス２に押圧される。
【００１３】
原稿記載情報を読み取るための読み取り手段は、シート状原稿及び本などの厚みのあるブック状原稿の双方を密着型イメージセンサ５によって、装置前面から見て横方向に駆動し、読み取るようになっている。
【００１４】
前記密着型イメージセンサ５は、原稿の読取面を照らす照明手段と、原稿の読取面からの反射光が通過するセルフォックレンズとレンズの直下に配置され反射光を結像させるイメージセンサとからなる。
【００１５】
また、密着型イメージセンサ５は原稿を読み取る際に、図示せぬ駆動機構により駆動される。その際に、密着型イメージセンサ５と原稿台ガラス２との距離が常に一定に保たれることで、原稿台ガラス２上の密着型イメージセンサ５の焦点位置の高さが一定となり、焦点位置ずれのない良好な画像を得ることができるようになっている。
【００１６】
次に、原稿の画像読取動作について説明する。
【００１７】
まず、原稿載置台３に複数枚の原稿がセットされると、最上部の原稿が原稿台ガラス２に押圧される。そして、密着イメージセンサ５によりその画像が読み取られる。画像の読取終了後、図１（ｂ）に示すように、フラットベットスキャナ１は１１を回動中心として、時計回りに任意の角度で不図示の離間モータ１６を駆動源として回動される。
【００１８】
それにより、最上部の原稿とフラットベットスキャナ１の間に隙間ができ、排紙手段１２が図１（ｃ）に示すように、不図示の排出排出モータ１７を駆動源として、その隙間に入り込んでくる。排出手段１２は、分離ローラ７と、リタードローラ８と、ピックアップローラ６と、ピックアップローラ６を支持する支持部材９から構成される。排出手段１２が前述した隙間に入り込んでくると、ピックアップローラ６が最上部の原稿に押圧される。
【００１９】
そして、ピックアップローラ６により原稿が分離ローラ７に搬送される。複数枚の原稿が分離ローラ７に入り込むと、リタード分離方式により、リタードローラ８が逆回転することで、最上部以外の原稿が戻され、１枚に分離される。分離された原稿は排紙トレイ１０に排出される。
【００２０】
排出後、ピックアップローラ６を逆回転（反時計回り）することにより、最上から２枚目の原稿を読取位置まで戻し、排出手段１２を初期の位置（図１（ａ）の位置）に戻す。
【００２１】
そして、フラットベットスキャナ１を図１（ａ）に示すような初期の状態に戻して、２枚目の原稿の読取動作を開始する。上述したような動作を繰り返すことにより、最上の原稿から順次読み取っていく。
【００２２】
以上のようにして、排出手段１２は、フラットベットスキャナ１によるシート上の画像の読み取り中はシートと接触しない位置に待機し、フラットベットスキャナ１によるシート上の画像の読み取り終了後は、離間モータ１６を駆動源としてフラットベットスキャナ１が回動されることで形成された隙間からシートと接触する位置に移動することにより、原稿全領域を確実に読み取ることができる。また最上原稿から順次排出していくため、原稿の多数枚積載が可能となる。
【００２３】
また、フラットベットスキャナ１が回動可能となっているため、ブック原稿も容易に読み取ることができる。
【００２４】
（第２の実施例）
第二実施例に係る画像読取装置について図面を参照して詳しく説明する。
【００２５】
図２（ａ）に示すように、最上部の原稿が読み取られると、原稿載置台３に一体に設けられた引っ掛け部３ａに取り付けられた押し下げ部材１３が不図示の離間モータ１６を駆動源として、原稿載置台３を下方へ押し下げる。図２（ｂ）に示すように、原稿載置台３が下方へ押し下げられると、フラットベットスキャナ１と原稿との間に隙間ができ、図２（ｃ）に示すように、排出手段１２が不図示の排出モータ１７を駆動源として移動し、ピックアップローラ６が最上部の原稿に押圧される。
【００２６】
その後、第一実施例と同様にピックアップローラ６により最上部の原稿が排出され、またピックアップローラ６を逆転（反時計回り）させることにより次原稿を所定の読取位置まで戻す。その後、排出手段１２はもとに位置に戻り、押し下げ部材１３が上方へ再度移動し、２枚目の原稿が原稿台ガラス２に押圧され、読み取られる。
【００２７】
以上のような動作を繰り返すことにより、積載された原稿を順次読み取っていく。
【００２８】
以上のようにして、排出手段１２は、フラットベットスキャナ１によるシート上の画像の読み取り中はシートと接触しない位置に待機し、フラットベットスキャナ１によるシート上の画像の読み取り終了後は、離間モータ１６を駆動源としてフラットベットスキャナ１原稿載置台３が下方へ押し下げられることで形成された隙間からシートと接触する位置に移動することにより、第１の実施例と同様の効果を得ることができる。
【００２９】
（第３の実施例）
第三実施例に係る画像読取装置について図面を参照して詳しく説明する。
【００３０】
図３（ａ）に示すように、最上部の原稿が読み取られると、原稿載置台３に一体に設けられた引っ掛け部３ａに取り付けられた押し下げ部材１３が不図示の離間モータ１６を駆動源として、原稿載置台３を下方へ押し下げる。
【００３１】
図３（ｂ）に示すように、原稿載置台３が下方へ押し下げられると、フラットベットスキャナ１と原稿との間に隙間ができる。そして、原稿載置台３の下部に設けられた移動部材１５とそれに一体に取り付けられた回転部材１４ａ及び、１４ｂが不図示の排出モータ１７を駆動源として左方向へ移動する。
【００３２】
このとき、原稿載置台３も同様にして左方向へ移動する。移動後、図３（ｃ）に示すように、最上部の原稿がピックアップローラ６に押圧され、ピックアップローラ６により分離ローラ７まで搬送され、分離された後、排出トレイ１０に排出される。
【００３３】
その後、ピックアップローラ６を逆回転（反時計回り）することにより、最上から２枚目の原稿を所定の読取位置まで戻し、移動部材１５及び原稿載置台３は、図３（ａ）に示すように、再度元の位置に戻され、押し下げ部材１３を上部へ移動させることにより、２枚目の原稿をフラットベットスキャナ１に押圧させ、読取を行う。
【００３４】
以上のような動作を繰り返すことにより、積載された原稿を順次読み取っていく。
【００３５】
以上のようにして、原稿載置台３は、フラットベットスキャナ１によるシート上の画像の読み取り中はシートと排出手段１２を接触させない位置に待機し、フラットベットスキャナ１によるシート上の画像の読み取り終了後は、シートと排出手段１２が接触する位置に移動することにより、第１の実施例と同様の効果を得ることができる。
【００３６】
【発明の効果】
以上説明したように、本発明によれば、シート載置手段に載置されたシートの画像を読み取る読み取り手段がシート載置手段の上方に位置する場合でも、シート原稿全域を読み取ることができ、さらにブック原稿に対しても容易に読み取ることが可能となる。さらには、最上の原稿から順次分離して排出するため、原稿の多数枚積載も可能となる。
【図面の簡単な説明】
【図１】本発明の画像読取装置における第１の実施例である。
【図２】本発明の画像読取装置における第２の実施例である。
【図３】本発明の画像読取装置における第３の実施例である。
【図４】従来の画像読取装置である。
【図５】従来の画像読取装置である。
【符号の説明】
１  フラットベットスキャナ
２  原稿台ガラス
３  原稿載置台
４ａ、４ｂ  バネ部材
５  密着型イメージセンサ
６  ピックアップローラ
７  分離ローラ
８  リタードローラ
９  支持部材
１０  排紙トレイ
１１  回動中心
１２  排出手段
１３  押し下げ部材
１４ａ、１４ｂ  回転部材
１５  移動部材
１６  離間モータ
１７  排出モータ
【図１】
2005027034.tif 000003
【図２】
2005027034.tif 000004
【図３】
2005027034.tif 000005
【図４】
2005027034.tif 000006
【図５】
2005027034.tif 000007